(57)【特許請求の範囲】
【請求項１】
一次側母線と二次側母線を有し、前記一次側母線から入力された電力を前記二次側母線から変換して出力する変換機器と、
前記変換機器を収容する主収納容器室と、
前記主収納容器室の片側の側方に隣接して配置され、前記変換機器が有する二次側母線の延長母線を収容する第１の隣接収納容器室と、
前記主収納容器室の他方側の側方に隣接して配置され、前記変換機器が有する二次側母線の延長母線を収容する第２の隣接収納容器室と、を備え、
前記主収納容器室と前記第１の隣接収納容器室は、側方に連絡口が設けられており、
前記変換機器が有する二次側母線と前記延長母線を接続する主回路が、前記連絡口に配設されていることを特徴とするスイッチギヤ。
【請求項２】
前記第１の隣接収納容器室は、前記主収納容器室よりも、支柱が太いことを特徴とする請求項１に記載のスイッチギヤ。
【請求項３】
前記第１の隣接収納容器室は、前側隣接収納容器副室と後側隣接収納容器副室から構成されていることを特徴とする請求項１または２に記載のスイッチギヤ。
【請求項４】
前記変換機器が有する二次側母線の延長母線は、前記後側隣接収納容器副室に収容されていることを特徴とする請求項３に記載のスイッチギヤ。
【請求項５】
前記主収納容器室は、前側主収納容器副室と後側主収納容器副室から構成されていることを特徴とする請求項１から４のいずれか一項に記載のスイッチギヤ。
【請求項６】
前記主収納容器室は、右側主収納容器副室と左側主収納容器副室から構成されていることを特徴とする請求項１から４のいずれか一項に記載のスイッチギヤ。
【請求項７】
前側隣接収納容器副室と後側隣接収納容器副室は、耐震壁で区画されていることを特徴とする請求項３に記載のスイッチギヤ。
【請求項８】
前記第１の隣接収納容器室は、三角補強板が４隅に取り付けられていることを特徴とする請求項１に記載のスイッチギヤ。
【発明の詳細な説明】
【技術分野】
【０００１】
本発明は、スイッチギヤに関わり、特に、変換機器などを収容する主収納容器室と延長母線を収容する隣接収納容器室とを備えたスイッチギヤに関するものである。
【背景技術】
【０００２】
容量の大きな変圧器を露出させて使用するためには、大きな隔離距離を設けることが法律上要求されている。変圧器、中性点接地抵抗器（ＮＧＲ：Neutral Grounding Resistor）、コンデンサ、変成器（ＶＣＴ：Voltage and Current Transformer）等の大型機器は、一般的には、省スペースで済むように、スイッチギヤに収められている（例えば特許文献１〜２を参照）。スイッチギヤは、一般に低圧から２万ボルト級の特別高圧に係る配電線を開閉したり、事故から保護するために、遮断器などを保護継電器などと一緒に金属製ボックスに収めたものである。
【０００３】
変圧器等の変換機器は、容量が大きければ大きいほど大型化するため、この変換機器を搭載するスイッチギヤも大型となりやすい。また、運用上、大型かつ容量が大きな変換機器は、単独では使用できず、他の機器との電路の形成が必要である。電路の形成を行うさいに、外部からのケーブル接続を、隣に配置された別のスイッチギヤで行うことが一般的となっている。大型変換機器を搭載するスイッチギヤの内部には、電路を形成するためのスペースが必要となっている。
【０００４】
以上より、大型の変換機器を搭載するスイッチギヤは大型化する傾向にある。大型の変換機器を搭載するスイッチギヤの構造的な特徴としては、次の点が挙げられる。大型の変換機器を搭載するスイッチギヤは、現地据付する場合、現地で容易に変換機器をスイッチギヤの内部に収める必要があることから、構造上、大きな開口を有している。また、大型の変換機器が搭載できる分だけの大きなスペースをスイッチギヤの内部に有している。
【０００５】
スイッチギヤが活用されている場所は、多岐に渡る。例えば、スイッチギヤは、原子力プラント等、安全上重大な施設でも利用されている。このような場所に適用されるスイッチギヤは、常に安定的に可動し続けなければならない。すなわち、高い耐震性能が要求されているスイッチギヤには高い剛性を付加する必要がある。
【先行技術文献】
【特許文献】
【０００６】
【特許文献１】実公昭６２−３０４１１号公報
【特許文献２】特開２０１０−６３２７０号公報
【発明の概要】
【発明が解決しようとする課題】
【０００７】
スイッチギヤでは、１つのスイッチギヤの内部に、複数の仕切り部屋を設けている（例えば特許文献１を参照）。大型の変換機器を搭載する部屋と、小型機器等を搭載する小型機器／制御線収納部を配置し、さらに主回路収納部を設けることで、機器間のやり取りを、スイッチギヤの外部で中継することなく配置することが可能な構造が提案されている。主回路収納部では、それぞれの部屋間の主回路及び外部からの主回路を処理している。
【０００８】
しかし、スイッチギヤに耐震性能が要求される場合、スイッチギヤに高い剛性を付加する必要がある。現地据付を考慮すれば、大型の変換機器をスイッチギヤの内部に搬入するための大きな開口が必要となる。開口を有する箇所は剛性上の弱部となることから、そのような剛性上の弱部を補うために、スイッチギヤの内外に補強を設けるスペースが必要となる。
【０００９】
さらに、他のスイッチギヤと電路を形成する場合には、主回路の位置を合わせるための取り回しスペースが必要となる。結果、スイッチギヤが大型化し、輸送、搬入が難しくなることから、スイッチギヤでは、輸送、搬入の容易さと、耐震性能の両立が困難であった。
【００１０】
この発明は、上記のようなスイッチギヤにおける課題を解決するためになされたものであり、変換機器などの大型機器を搭載する主収納容器室と高い剛性を有する隣接収納容器室の分割構造にすることにより、スイッチギヤの輸送単位を小型軽量化することを目的としている。
【課題を解決するための手段】
【００１１】
本発明に係わるスイッチギヤは、一次側母線と二次側母線を有し、一次側母線から入力された電力を二次側母線から変換して出力する変換機器と、変換機器を収容する主収納容器室と、主収納容器室の片側の側方に隣接して配置され、変換機器が有する二次側母線の延長母線を収容する第１の隣接収納容器室と、前記主収納容器室の他方側の側方に隣接して配置され、前記変換機器が有する二次側母線の延長母線を収容する第２の隣接収納容器室と、を備え、前記主収納容器室と前記第１の隣接収納容器室は、側方に連絡口が設けられており、前記変換機器が有する二次側母線と前記延長母線を接続する主回路が、前記連絡口に配設されていることを特徴とする。
【発明の効果】
【００１２】
本発明に係わるスイッチギヤは、一次側母線と二次側母線を有し、一次側母線から入力された電力を二次側母線から変換して出力する変換機器と、変換機器を収容する主収納容器室と、主収納容器室の片側の側方に隣接して配置され、変換機器が有する二次側母線の延長母線を収容する第１の隣接収納容器室と、前記主収納容器室の他方側の側方に隣接して配置され、前記変換機器が有する二次側母線の延長母線を収容する第２の隣接収納容器室と、を備え、前記主収納容器室と前記第１の隣接収納容器室は、側方に連絡口が設けられており、前記変換機器が有する二次側母線と前記延長母線を接続する主回路が、前記連絡口に配設されていることにより、大型の変換機器を搭載する主収納容器室と高い剛性を有する隣接収納容器室の分割構造を有している。その結果、スイッチギヤの輸送単位を小型軽量化し、高剛性の実現と、輸送、搬入作業を容易化することを両立できる。
【図面の簡単な説明】
【００１３】
【図１】本発明の実施の形態１による、スイッチギヤの全体構成を示す平面図である。
【図２】本発明の実施の形態による、ＮＧＲの構成を示している正面図である。
【図３】本発明の実施の形態による、コンデンサの構成を示している正面図である。
【図４】本発明の実施の形態による、ＶＣＴの構成を示している正面図である。
【図５】本発明の実施の形態による、変換機器の構成を示している正面図である。
【図６】本発明の実施の形態１による、主収納容器室と隣接収納容器室の構成を示している平面図である。
【図７】本発明の実施の形態１による、主収納容器室の構成を示している斜視図である。
【図８】本発明の実施の形態１による、主収納容器室の開閉構造を示している斜視図である。
【図９】本発明の実施の形態１による、隣接収納容器室の構成を示している斜視図である。
【図１０】本発明の実施の形態による、主回路の構造を示している図である。
【図１１】本発明の実施の形態１による、隣接収納容器室の構造を示している斜視図である。
【図１２】本発明の実施の形態２による、主収納容器室と隣接収納容器室の構成を示している平面図である。
【図１３】本発明の実施の形態３によるスイッチギヤと、このスイッチギヤに隣接する別のスイッチギヤとの関係を示す構成図である。
【図１４】本発明の実施の形態４による、スイッチギヤの全体構成を示す平面図である。
【図１５】本発明の実施の形態５による、スイッチギヤの全体構成を示す平面図である。
【図１６】本発明の実施の形態５による、隣接収納容器室の構造を示している平面図である。
【図１７】本発明の実施の形態６よる、スイッチギヤの全体構成を示す平面図である。
【発明を実施するための形態】
【００１４】
本発明の実施の形態に係る、スイッチギヤについて、図を参照しながら以下に説明する。なお、各図において、同一または同様の構成部分については同じ符号を付しており、対応する各構成部のサイズや縮尺はそれぞれ独立している。例えば構成の一部を変更した断面図の間で、変更されていない同一構成部分を図示する際に、同一構成部分のサイズや縮尺が異なっている場合もある。また、スイッチギヤは、実際にはさらに複数の部材を備えているが、説明を簡単にするため、説明に必要な部分のみを記載し、他の部分については省略している。
【００１５】
実施の形態１．
以下、本発明の実施の形態１に係るスイッチギヤについて、図を参照して説明する。図１は、本発明の実施の形態１に係るスイッチギヤ１０の全体構成を示している平面図である。スイッチギヤ１０は、主収納容器室１と隣接収納容器室２と変換機器１３などから構成されている。主収納容器室１には、大型機器として変換機器１３が搭載されている。隣接収納容器室２は、前側隣接収納容器副室２Ａと後側隣接収納容器副室２Ｂを備えている。大型機器である変換機器１３は、一次側コイル１３ａと二次側コイル１３ｂを備えている。
【００１６】
主収納容器室１には、変換機器１３の他に、中性点接地抵抗器２０（図２を参照）、コンデンサ２１（図３を参照）、変成器２２（図４を参照）などの大型機器が搭載される。中性点接地抵抗器２０（ＮＧＲ：Neutral Grounding Resistor）は、接地変圧器の中性点に取り付けられて、地絡電流を抑制および検出する大型抵抗器の事である。ＮＧＲ側の胴体にボルト穴が開いており、一次側母線と二次側母線が導出されている（破線部）。それぞれの母線はスイッチギヤの主回路に接続される。コンデンサ２１では、一次側端子とスイッチギヤの主回路が接続される。二次側端子は接地個所と接続される。変成器２２（ＶＣＴ：Voltage and Current Transformer）は、計器用変流器（ＣＴ：Current Transformer）と計器用変圧器（ＶＴ：Voltage Transformer）から構成されている。ユーザが使用
した電力量を計測する為の変成器である。一次側端子、二次側端子、それぞれが、スイッチギヤの主回路に接続される。
【００１７】
隣接収納容器室２は、主収納容器室１の一側（片側）の側方に隣接して配置されている。変換機器１３は、スイッチギヤ１０の前側から、搬入する。主収納容器室１に収容されている変圧器などの変換機器１３は、一次側母線５ａと二次側母線５ｂ（１）が接続されている。変換機器１３の一次側母線５ａに入力された電力は、昇圧、降圧または変換されて、変換機器１３の二次側母線５ｂから出力される。
【００１８】
変換機器１３の二次側母線５ｂ（１）は、主回路１２で、隣接収納容器室２に収容されている延長母線５ｂ（２）と接続されている。変圧器などの大型の変換機器１３では、一次側コイル１３ａに入力した電力は、二次側コイル１３ｂで変換される。前側隣接収納容器副室２Ａには、スイッチギヤの制御線１４ａが接続されている小型機器１４が搭載されている。後側隣接収納容器副室２Ｂには、二次側母線に相当する延長母線５ｂ（２）が収容されている。
【００１９】
図５は、本発明の実施の形態に係る、変圧器等の変換機器１３の構造を示している正面図である。図に示されている変換機器１３では、一次側コイル１３ａに３相の交流電力が入力されると、二次側コイル１３ｂから、変換された電力が出力される。この電力は直流に変換されることもある。一次側コイル１３ａには、一次側母線５ａが接続されている。二次側コイル１３ｂには、二次側母線５ｂ（１）が接続されている。
【００２０】
図６は、本発明の実施の形態１に係る、主収納容器室１と隣接収納容器室２の構成を示している。この図から解るように、隣接収納容器室２（図６Ａを参照）と主収納容器室１（図６Ｂを参照）とは分離することができる。隣接収納容器室２には、主回路１２の取り回しが可能な後側隣接収納容器副室２Ｂを設けている。その中で主回路１２の位置を変換する事で、二次側母線５ｂ（１）と延長母線５ｂ（２）との電路形成が可能になる。
【００２１】
隣接収納容器室２には、必要に応じて、小型機器１４および制御線１４ａを搭載する前側隣接収納容器副室２Ａを設ける事ができる。変圧器等の変換機器１３では、一次側コイル１３ａに入力した電力が、二次側コイル１３ｂから出力される。二次側母線５ｂ（１）と延長母線５ｂ（２）は、接ぎ板１８で接続され、主回路１２を構成する（図１０を参照）。主収納容器室１と隣接収納容器室２は、分割して輸送、搬入が可能で、据付時には両者を結合することで高い剛性を有することができる。
【００２２】
図７は、本発明の実施の形態に係る、主収納容器室１の構成を示している正面斜視図である。変換機器１３は、主収納容器室１の前側から搬入される。主収納容器室１の側方には、隣接収納容器室２との取り合い穴１ｂが４か所に、連絡口１ａが１か所に設けられている。取り合い穴１ｂにボルトを挿入して、締結することで、主収納容器室１と隣接収納容器室２は固定接続される。
【００２３】
図８は、本発明の実施の形態に係る、主収納容器室１の構造を示す斜視図である。図に示すように、主収納容器室１には、変換機器１３を搬入するために、大きな開口１оが設けられている。主収納容器室１は、左前扉１ｃ、中前扉１ｄ、右前扉１ｅを備えている。３枚の前扉を閉じると、開口１оが閉鎖される。開口１оがある側を、主収納容器室１の前側とする。主収納容器室１の開口１оから、変換機器１３を搬入する。
【００２４】
主収納容器室１には、変換機器１３、ＮＧＲ（Neutral Grounding Resistor）、コンデンサ、ＶＣＴ（Voltage and Current Transformer）などの大型機器の搬入が必要であるため、盤の開口１оは大きいほどよい。しかし、開口１оが大きいほど、主収納容器室１は、剛性が低くなる。また、主収納容器室１には、大型機器を搭載するスペースが要求されている。このため、主収納容器室１は、剛性を高めるにしても限度がある。これに対し、隣接収納容器室２には、大型機器の搬入が不要であるため、盤の開口を大きくする必要はない。開口が小さいほど、隣接収納容器室の剛性は高めやすい。
【００２５】
図９は、本発明の実施の形態に係る、隣接収納容器室２の構成を示している正面斜視図である。隣接収納容器室２の側方には、主収納容器室１との取り合い穴２ｂが４か所に、連絡口２ａが１か所に設けられている。連絡口２ａは、後側隣接収納容器副室２Ｂの側方に設けられている。取り合い穴２ｂにボルトを挿入して、締結することで、主収納容器室１と隣接収納容器室２は固定接続される。主回路１２の接ぎ板１８は、連絡口１ａおよび連絡口２ａに配設される。
【００２６】
図１０は、二次側母線の接続部を表している。輸送および搬入のために、母線は接ぎ板１８などの取り付けと取り外しのみで、容易に主収納容器室１および隣接収納容器室２の間で接続と解除ができる。隣接収納容器室２は、構造上、主収納容器室１のような大きい開口１оや内部スペースが必要ないことから、主収納容器室１と比較して、高剛性の実現が容易である。隣接収納容器室２は、主回路１２の取り回しが可能な後側隣接収納容器副室２Ｂを設け、その中で主回路１２の位置を変換する事で、隣接する配電室５０と電路形成が可能になる。
【００２７】
次に、本発明にかかわる隣接収納容器室２の、より具体的な構造を、図１１を参照して説明する。主収納容器室１の片側の側方に隣接して配置される隣接収納容器室２には、前側に開口２ｅが設けられている。開口２ｅは前側扉２ｆで閉鎖されている。隣接収納容器室２の開口２ｅには、４隅に三角補強板２ｄが取り付けられている。三角補強板２ｄの設置により、開口２ｅにおける門形ラーメン変形を抑えている。加えて、隣接収納容器室２の内部を仕切るような耐震壁２ｃを設けることで、隣接収納容器室２が、地震時に幅方向に倒れることを抑制することができる。
【００２８】
本発明の実施の形態に係るスイッチギヤは、剛性の高い隣接収納容器室と主収納容器室を結合している。隣接収納容器室で主収納容器室を支えることにより、スイッチギヤ全体としての剛性向上を行うことができる。なお、剛性を上げるためには、主収納容器室と隣接収納容器室は、ボルトや溶接等で強固に固定することが望ましい。
【００２９】
本発明の実施の形態に係るスイッチギヤでは、大型変換機器を搭載する部分を主収納容器室、主収納容器室の左側もしくは右側に配置され、高い剛性を有し、内部で電路の取り回し可能な部分を隣接収納容器室としている。主収納容器室と隣接収納容器室は分割して輸送、搬入が可能で、据付時には両者を結合することで高い剛性を有することができる。
【００３０】
大型の変換機器を搭載するスイッチギヤは、分割構造になっている。具体的には大型の変換機器を搭載する部分を主収納容器室、主収納容器室の隣に並べる部分を隣接収納容器室としている。隣接収納容器室は高い剛性を持たせるものとし、隣接収納容器室で電路を取り回せるものとする。主収納容器室の隣に隣接収納容器室を並べ、１つのスイッチギヤとして構成することで、スイッチギヤ全体として高い剛性を確保している。主収納容器室と隣接収納容器室は分割して輸送、搬入可能である。
【００３１】
従って、本願に係わるスイッチギヤは、一次側母線と二次側母線を有し、一次側母線から入力された電力を二次側母線から変換して出力する変換機器と、変換機器を収容する主収納容器室と、主収納容器室の一側の側方に隣接して配置され、変換機器が有する二次側母線の延長母線を収容する隣接収納容器室と、を備え、主収納容器室と隣接収納容器室は、側方に連絡口が設けられており、変換機器が有する二次側母線と延長母線を接続する主回路が、連絡口に配設されていることを特徴とする。
【００３２】
実施の形態２．
以下、本発明の実施の形態２に係るスイッチギヤについて、図を参照して説明する。図１２は、本実施の形態に係る、主収納容器室１と隣接収納容器室２の構造を示している平面図である。主収納容器室１は、側壁（パネル）６ａ、支柱７ａなどから構成されている（図１２Ｂを参照）。隣接収納容器室２は、側壁（パネル）６ｂ、支柱７ｂなどから構成されている（図１２Ａを参照）。側壁（パネル）６ｂは、側壁（パネル）６ａよりも板厚が厚くなっている。支柱７ｂは、支柱７ａよりも、太さが太くなっている。
【００３３】
このため、隣接収納容器室２は、主収納容器室１よりも、剛性が高くなっている。主収納容器室１には、側方の少なくとも一枚の側壁（パネル）６ａに、連絡口１ａが設けられている。隣接収納容器室２には、側方の少なくとも一枚の側壁（パネル）６ｂに、連絡口２ａが設けられている。隣接収納容器室２は、支柱７ｂの本数を増やすことで、剛性が高くなる。
【００３４】
実施の形態３．
以下、本発明の実施の形態３に係るスイッチギヤについて、図を参照して説明する。図１３は、スイッチギヤ１０の具体的な使用方法を示す平面図である。隣接収納容器室２の側方に既存の配電室５０を配置している。隣接収納容器室２では、主収納容器室１に収めている変換機器１３の主回路１２に合うように、その母線位置を合わせる。一方で、既存の配電室５０の母線位置と隣接収納容器室２の母線位置も合わせる。つまり、主収納容器室１と既存の配電室５０の母線位置の違いを隣接収納容器室２の後側隣接収納容器副室２Ｂの内部で変換する。
【００３５】
スイッチギヤの輸送時および搬入時には、主収納容器室と隣接収納容器室をそれぞれ別々に発送できるため、輸送作業および搬入作業が容易となる。スイッチギヤの据付時には、主収納容器室と隣接収納容器室において、また隣接収納容器室と配電室において、母線をそれぞれ接ぐことで電路の形成を容易に行うことができる。
【００３６】
なお、ここでは、隣接収納容器室において、既存のスイッチギヤと直接電路の形成を行っているが、既存のスイッチギヤは隣接収納容器室の隣に必ずしも設置する必要はない。隣接収納容器室の後側隣接収納容器副室を、ケーブルの処理を行う箇所として利用して、電路形成することも可能である。
【００３７】
実施の形態４．
以下、本発明の実施の形態４に係るスイッチギヤについて、図１４を参照して説明する。実施の形態１に係るスイッチギヤでは、主収納容器室１の一側（片側）の側方に隣接収納容器室２を配置していた。本実施の形態では、主収納容器室１の別側の側方に隣接収納容器室３を配置している。隣接収納容器室２と隣接収納容器室３は、同じ構成を備えている。
【００３８】
スイッチギヤに、より高い剛性が必要である場合には、主収納容器室１の両側面に隣接収納容器室２を設けることで剛性の向上が見込める。また、両側の側方に隣接収納容器室を設けることで、図のように、隣接収納容器室２では左右に電路を分割することが容易に可能となる。
【００３９】
本発明の実施の形態に係るスイッチギヤは、大型変換機器を搭載する部分を主収納容器室とし、主収納容器室の両側に配置し、高い剛性を有し、内部で電路の取り回し可能な部分を隣接収納容器室としている。主収納容器室と隣接収納容器室は、分割して輸送、搬入が可能で、据付時には両者を結合することで高い剛性を有することができる。すなわち、本願に係わるスイッチギヤは、主収納容器室の他方側の側方に隣接して配置され、変換機器が有する二次側母線の延長母線を収容する隣接収納容器室、を備えている。
【００４０】
実施の形態５．
以下、本発明の実施の形態３に係るスイッチギヤについて、図１５を参照して説明する。実施の形態１に係るスイッチギヤでは、主収納容器室１の片側に隣接収納容器室２を配置し、主収納容器室１は１つの筐体としていた。スイッチギヤに、より小型軽量化が必要な場合、主収納容器室を図のように２分割することができる。主収納容器室１は、前側主収納容器副室１Ａと後側主収納容器副室１Ｂから構成されている。
【００４１】
図１６は、前側主収納容器副室１Ａと後側主収納容器副室１Ｂの構成を示している。前側主収納容器副室１Ａと後側主収納容器副室１Ｂには、それぞれ連絡口１ａが設けられている。このことで、大型化する傾向がある主収納容器室１についても小型軽量化が可能となる。なお、ここでは主収納容器室を前側と後側に２分割する構造となっている。分割数は２分割以上でもよく、また、主収納容器室１の分割方向は前後に限定せず、左右としてもよい。
【００４２】
本発明の実施の形態に係るスイッチギヤは、主収納容器室を前側と後側、もしくは左側と右側に分割している。スイッチギヤは、輸送、搬入が可能で、かつ、その分割数は任意に設定が可能で、据付時には分割した主収納容器室および隣接収納容器室を結合することで高い剛性を有することができる。
【００４３】
実施の形態６．
以下、本発明の実施の形態６に係るスイッチギヤについて、図１７を参照して説明する。実施の形態２に係るスイッチギヤでは、主収納容器室１の両側に隣接収納容器室２を配置し、主収納容器室１は１つの筐体としていた。より小型軽量化が必要な場合、主収納容器室を図のように前後に分割する。このことで、大型となる傾向がある主収納容器室についても小型軽量化が可能となる。
【００４４】
なお、ここでは主収納容器室１は前側と後側を２分割する構造となっているが、分割数は２分割以上でもよく、また、主収納容器室の分割方向は前後に限定せず、左右としてもよい。
【００４５】
本発明の実施の形態に係るスイッチギヤは、主収納容器室を前側と後ろ側、もしくは左側と右側に分割して輸送、搬入が可能で、かつ、その分割数は任意に設定が可能で、据付時には分割した主収納容器室および隣接収納容器室を結合することで高い剛性を有することができる。
【００４６】
なお、本発明は、その発明の範囲内において、実施の形態を自由に組み合わせたり、各実施の形態を適宜、変形、省略することが可能である。
【符号の説明】
【００４７】
１  主収納容器室、１Ａ  前側主収納容器副室、１Ｂ  後側主収納容器副室、１ａ  連絡口、１ｂ  取り合い穴、１ｃ  左前扉、１ｄ  中前扉、１ｅ  右前扉、１о  開口、２
隣接収納容器室、２Ａ  前側隣接収納容器副室、２Ｂ  後側隣接収納容器副室、２ａ  連絡口、２ｂ  取り合い穴、２ｃ  耐震壁、２ｄ  三角補強板、２ｅ  開口、２ｆ  前側扉、３  隣接収納容器室、５ａ  一次側母線、５ｂ  二次側母線、５ｂ（２）  延長母線、７ａ  支柱、７ｂ  支柱、１０  スイッチギヤ、１２  主回路、１３  変換機器、１３ａ  一次側コイル、１３ｂ  二次側コイル、１４  小型機器、１４ａ  制御線、１８  接ぎ板、２０  中性点接地抵抗器、２１  コンデンサ、２２  変成器、５０  配電室
【図１】
0006731779.tif 000002
【図２】
0006731779.tif 000003
【図３】
0006731779.tif 000004
【図４】
0006731779.tif 000005
【図５】
0006731779.tif 000006
【図６】
0006731779.tif 000007
【図７】
0006731779.tif 000008
【図８】
0006731779.tif 000009
【図９】
0006731779.tif 000010
【図１０】
0006731779.tif 000011
【図１１】
0006731779.tif 000012
【図１２】
0006731779.tif 000013
【図１３】
0006731779.tif 000014
【図１４】
0006731779.tif 000015
【図１５】
0006731779.tif 000016
【図１６】
0006731779.tif 000017
【図１７】
0006731779.tif 000018